(57)【要約】【課題】  スイッチの種類の増加に対応でき、コストダウンが可能なシリンダスイッチの取付構造を提供する。【解決手段】  流体シリンダ本体１１に形成された取付溝１１ａにスイッチケース１２が挿着され、シリンダケース１２にはシリンダスイッチ１３が固定されている。スイッチケース１２は略直方体とされ、中心部に有底の保持穴１２ｂが設けられ、上面に沿って長手溝１２ｃが形成されている。先端部には、上面から下面に貫通するねじ孔１２ｄにねじ１４が螺合されている。シリンダスイッチ１３は内部にセンサが内蔵されており、先端部の上下方向に貫通ねじ孔１３ａにねじ１５が螺合されている。スイッチ１３を保持穴１２ｂに挿入し、ねじ１５によりスイッチ１３をスイッチケース１２に固定する。更に、スイッチケース１２をシリンダ本体１１の取付溝１１ａに挿入し、ねじ１４によりスイッチケース１２を固定する。【選択図】図１
2005163941.tif 000002
【特許請求の範囲】
【請求項１】
シリンダ本体にスイッチ取付部を設け、棒状のシリンダスイッチを収納したスイッチケースを前記取付部に固定することを特徴とするシリンダスイッチの取付構造。
【請求項２】
前記スイッチ取付部は溝状部とし、前記スイッチケースを前記スイッチ取付部に固定するための固定手段を前記スイッチ取付部の溝状部を介して操作することを特徴とする請求項１に記載のシリンダスイッチの取付構造。
【請求項３】
前記スイッチケースに収納する前記シリンダスイッチは、前記スイッチケースに設けた取付穴内に挿入し、ねじにより固定することを特徴とする請求項１に記載のシリンダスイッチの取付構造。
【請求項４】
前記スイッチケースの上面に長手溝を形成し、前記シリンダスイッチを前記長手溝を介して固定することを特徴とする請求項３に記載のシリンダスイッチの取付構造。
【請求項５】
前記シリンダ本体の長手方向の外部に前記スイッチ取付部を有する装着部材を着脱可能に固定したことを特徴とする請求項１に記載のシリンダスイッチの取付構造。
【請求項６】
前記装着部材はレール状部材であることを特徴とする請求項５に記載のシリンダスイッチの取付構造。
【請求項７】
前記装着部材は前記シリンダ本体の外周に巻回して前記スイッチケースを取り付けるバンド装置であることを特徴とする請求項５に記載のシリンダスイッチの取付構造。
【請求項８】
前記シリンダ本体の外周に位置するタイロッドに前記装着部材を取り付けたことを特徴とする請求項５に記載のシリンダスイッチの取付構造。
【発明の詳細な説明】
【技術分野】
【０００１】
本発明は、空気圧シリンダ等のピストン位置を検知するためのシリンダスイッチの取付構造に関するものである。
【背景技術】
【０００２】
従来から、この種の装置は種々提案されており、例えば特許文献１に記載されたようなほぼ円柱状のものや、特許文献２に記載されたような角柱状のものなど、多様な形状のシリンダスイッチが用いられている。
【０００３】
【特許文献１】実公平７−４３４５８号公報
【特許文献２】実開平２−８７１０４号公報
【０００４】
図５は従来例として流体シリンダ本体１にシリンダスイッチ２を直接挿着する場合の斜視図を示し、鍵孔状の断面を有するシリンダスイッチ取付溝１ａは、シリンダスイッチ２を挿入可能の形状とされており、この取付溝１ａにスイッチ２を直接に挿入し、所定位置でねじ３を回動させて、ねじ３の先端を取付溝１ａの壁部に押し当てることにより固定する。
【０００５】
しかし、この場合はスイッチ２の形状とシリンダ本体１の取付溝１ａの形状が一致していることが前提であり、これらが不一致であれば取り付けは不能である。
【発明の開示】
【発明が解決しようとする課題】
【０００６】
上述のように従来の装置においては、シリンダスイッチはそれぞれ適用する流体シリンダ用に設計されており、流体シリンダの種類や大きさによって、適用するスイッチ形状が変わり、スイッチの種類が増加してしまうという管理上の問題がある。
【０００７】
また最近の動向として、メーカ同士でアライアンスを取り合う（ＯＥＭ等）ことが行われるようになっているが、双方の製品として所有しているスイッチ形状が異なり、そのため双方で取り扱うスイッチの種類が増加してしまうという問題も発生する。そのため、製品統合による種類の削減等が要望されている。
【０００８】
本発明の目的は、上述の問題点を解消し、スイッチケースを介してシリンダにスイッチを取り付けることにより、スイッチの変更に対応でき、コストダウンが可能なシリンダスイッチの取付構造を提供することにある。
【課題を解決するための手段】
【０００９】
上記目的を達成するための本発明に係るシリンダスイッチの取付構造は、シリンダ本体にスイッチ取付部を形成し、棒状のシリンダスイッチを収納したスイッチケースを前記取付部に嵌合することを特徴とする。
【発明の効果】
【００１０】
本発明に係るシリンダスイッチの取付構造によれば、シリンダスイッチをスイッチケースに収納してしてシリンダ本体にスイッチ取付部を形成するか、あるいは、シリンダ本体側（チューブを含む）外部へスイッチ取付用装着部材を着脱可能に固定するようにすることにより、他のシリンダ本体にも適用可能となり、流体シリンダを設計する上でスイッチ取付回りを標準化でき、全体の設計コストの削減に寄与する。
【発明を実施するための最良の形態】
【００１１】
本発明を図１〜図４に図示の実施例に基づいて詳細に説明する。
【実施例１】
【００１２】
図１は実施例１を示し、スイッチケース、スイッチ、シリンダ本体の斜視図、図２はスイッチケースの縦断面図を示している。
【００１３】
流体シリンダ本体１１に形成された逆Ｔ字状断面を有する取付溝１１ａにスイッチケース１２が挿着可能とされ、シリンダケース１２にはシリンダスイッチ１３が固定可能とされている。
【００１４】
スイッチケース１２は外観形状が略直方体とされ、上面に幅を狭めた段部１２ａが形成されている。スイッチケース１２の中心部には、端部から先端部に向けて長手方向に沿って有底の保持穴１２ｂが設けられ、段部１２ａの上面に沿ってこの保持穴１２ｂと連通する長手溝１２ｃが形成されている。更に、スイッチケース１２の先端部には、上面から下面に貫通するねじ孔１２ｄが形成され、ここにねじ１４が螺合されている。
【００１５】
シリンダスイッチ１３は例えば略円柱状を有し、内部に図示しない磁気近接スイッチ等のセンサ機構が内蔵されており、先端部の上下方向に貫通ねじ孔１３ａが形成され、このねじ孔１３ａにねじ１５が螺合されている。また、後端部からリード線１６が引き出されている。
【００１６】
シリンダ本体１１にシリンダスイッチ１３を装着するためには、先ずスイッチ１３をスイッチケース１２の保持穴１２ｂに挿入し、先端が保持穴１２ｂの先端まで入ったところで、長手溝１２ｃを介してねじ１５を操作してスイッチ１３をスイッチケース１２に固定する。
【００１７】
なお、ねじ１５はスイッチ１３を保持穴１２ｂに挿入するに際して、スイッチ１３自体が回転しないようにするために、スイッチ１３から上方に突出していることが好ましく、これによりねじ１５の上部を長手溝１２ｃに沿わせて押し込むことができる。このようにしたスイッチケース１２を、シリンダ本体１１の取付溝１１ａに挿入し、所定位置において、取付溝１１ａを介してねじ１４を操作してスイッチケース１２を固定する。
【００１８】
或いは、スイッチケース１２のみを予めシリンダ本体１１に固定しておき、その後にシリンダスイッチ１３をスイッチケース１２の保持穴１２ｂに挿入してもよい。この場合には、シリンダ本体１１の取付溝１１ａ、スイッチケース１２の長手溝１２ｃを介してねじ１５を操作し、スイッチ１３をスイッチケース１２に固定することができる。
【実施例２】
【００１９】
図３は実施例２の斜視図を示しており、実施例１ではスイッチ取付部をシリンダ本体１１に形成したのに対して、この実施例２ではシリンダ本体１１の外部に設けた別部材の装着部材２１に取付溝２１ａが設けられており、その他の構成は実施例１と同様である。
【実施例３】
【００２０】
また、図４は実施例３の斜視図であり、図１と同一の符号は同一の部材を示している。装着部材としてシリンダ本体１１の外周に巻回して、スイッチケース１２を取り付ける簡便なバンド装置３１が用いられている。そして、バンド装置３１のコ字状のスイッチ取付部３１ａが、挿入されるスイッチケース１２の外形形状に見合うように形成されている。
【００２１】
本実施例３では、スイッチケース１２をこのスイッチ取付部３１ａに挿入し、バンド装置２１のねじ３２を締め付けることにより、スイッチケース１２をシリンダ本体１１の所定位置に固定することができる。
【産業上の利用可能性】
【００２２】
このような構成とすることにより、シリンダスイッチ１３の形状等が変わっても、或いはシリンダ本体１１の取付溝１ａ等の形状が変わっても、両者の適合するスイッチケース１２をアダプタとして採用することにより、シリンダ本体１１にシリンダスイッチ１３を固定でき、使用するスイッチ１３の適用範囲を拡げることができる。
【００２３】
なお、本発明はシリンダスイッチ１３を収納したスイッチケース１２を各種の取付手段によりシリンダ本体１１に装着可能にした点に特徴があり、シリンダケース１２を装着する手段の形状は限定されず、前述した幾つかの実施例に留まらず、例えば一般的な流体シリンダのようにタイロッドを用いた装置において、そのタイロッドへ取り付ける方式の装着手段であっても何ら支障はない。
【図面の簡単な説明】
【００２４】
【図１】実施例のスイッチケース、スイッチ、シリンダ本体の斜視図である。
【図２】スイッチケースの縦断面図である。
【図３】実施例２の斜視図である。
【図４】実施例３の斜視図である。
【図５】従来例のシリンダ本体にスイッチを装着する場合の斜視図である。
【符号の説明】
【００２５】
１１  シリンダ本体
１１ａ、２１ａ  取付溝
１２  スイッチケース
１２ａ  段部
１２ｂ  保持穴
１２ｃ  長手溝
１２ｄ、１３ａ  ねじ孔
１３  シリンダスイッチ
１４、１５、３２  ねじ
２１  装着部材
３１  バンド装置
３１ａ  スイッチ取付部
【図１】
2005163941.tif 000003
【図２】
2005163941.tif 000004
【図３】
2005163941.tif 000005
【図４】
2005163941.tif 000006
【図５】
2005163941.tif 000007